(57)【要約】【課題】光ディスク装置において、再生動作中にもオフセット調整を可能にする。【解決手段】装置内の温度変化量の監視と、ディスクから読み出したデータを格納するバッファ内のデータ量の監視とを行い、監視の結果、上記温度変化量と上記バッファ内のデータ格納量との双方がそれぞれ、予め設定されたレベルを超えるとき、該バッファ内の格納データを用いる再生動作に切替え、該切替えた再生動作中に上記オフセット調整信号に基づくオフセット調整を行う構成とする。【選択図】  図１
2004241069.tif 000002
【特許請求の範囲】
【請求項１】
ディスクの記録面から光学的にデータを読み出して再生を行う光ディスク装置であって、
ディスクから読み出したデータを格納するバッファと、
装置内の温度変化量の監視と上記バッファ内のデータ格納量の監視とを行う監視手段と、
サーボエラー信号に基づき、データ読み出しのオフセットを調整するオフセット調整信号を生成するオフセット調整信号生成手段と、
を備え、上記監視の結果、上記温度変化量と上記バッファ内のデータ格納量とがそれぞれ、予め設定されたレベルを超えるとき、該バッファ内の格納データに基づく再生を行うとともに、該再生中に上記オフセット調整信号に基づくオフセット調整を行う構成としたことを特徴とする光ディスク装置。
【請求項２】
ディスクの記録面から光ピックアップによりデータを読み出して再生を行う光ディスク装置であって、
上記光ピックアップを含む装置内の温度を検知する温度検知手段と、
ディスクから読み出したデータを格納するバッファと、
上記温度検知結果に基づく温度変化量の監視と、上記バッファ内のデータ格納量の監視とを行う監視手段と、
上記光ピックアップのサーボエラー信号を検出するエラー検出手段と、
上記サーボエラー信号に基づき、上記光ピックアップによるデータ読み出しのオフセットを調整するためのオフセット調整信号を生成するオフセット調整信号生成手段と、
該オフセット調整信号に基づき上記光ピックアップのオフセット調整を行うオフセット駆動部と、
を備え、上記監視の結果、温度変化量及び上記バッファ内のデータ格納量がそれぞれ、所定レベルを超えるとき、再生動作を該バッファ内の格納データに基づく再生動作に切替え、該切替えた再生動作時間内に上記オフセット調整信号に基づく上記光ピックアップのオフセット調整を行う構成としたことを特徴とする光ディスク装置。
【請求項３】
上記監視手段は、上記バッファ内に格納されたデータ量が、オフセット調整に要する時間分のデータ量を超えているか否かを監視する構成である請求項１または請求項２に記載の光ディスク装置。
【請求項４】
上記監視手段は、トラッキングオフセット調整後の温度を初期温度として記憶し、該初期温度からの温度変化量を監視する構成である請求項１または請求項２に記載の光ディスク装置。
【請求項５】
ディスクの記録面から光学的にデータを読み出して再生する光ディスク装置におけるデータ再生方法であって、
ディスクから読み出したデータをバッファに格納するステップと、
サーボエラー信号を検出するとともに、装置内温度の変化量の監視と上記バッファ内のデータ格納量の監視とを行うステップと、
上記検出したサーボエラー信号に基づき、データ読み出しのオフセットを調整するオフセット調整信号を生成するステップと、
上記監視の結果、温度変化量と上記バッファ内のデータ格納量とがそれぞれ、予め設定されたレベルを超えるとき、再生動作を上記バッファ内の格納データに基づく再生動作に切替えるとともに、上記オフセット調整信号に基づくオフセット調整を行うステップと、
オフセット調整後、再びディスクからデータを読み出し、該読み出しデータによる再生を行うとともに該データをバッファに格納するステップと、
を備えたことを特徴とするデータ再生方法。
【発明の詳細な説明】
【０００１】
【発明の属する技術分野】
本発明は、光ディスクに光を照射し少なくとも記録情報の再生を行う技術に係り、特に温度変化に起因するオフセットの調整技術に関する。
【０００２】
【従来の技術】
本発明に関連する従来技術としては、特開２００２−１０９７７２号公報（特許文献１）に記載されたものがある。本公報には、光ディスク装置において、装置内の温度が変化した場合にも、起動時に設定されたオフセット値やレーザー出力値の影響を受けずに適切な記録や再生を行えるようにするために、ピックアップに取付けた温度センサにより温度を周期的に測定し、温度変化が所定値よりも大きい場合に、オフセット値やレーザー出力値を再設定する技術が記載されている。
【０００３】
【特許文献１】
特開２００２−１０９７７２号公報（段落番号００４１〜００５０、図１、図５）
【０００４】
【発明が解決しようとする課題】
上記従来技術では、上記オフセット値やレーザー出力値の再設定を行う場合、記録または再生動作を停止させて行う。このため、この停止期間には一時的に記録または再生信号が中断され、情報の連続性が損なわれるおそれがある。
本発明の課題点は、かかる従来技術の状況に鑑み、光ディスク装置において、再生動作中に温度変化によるオフセットが生じた場合にも、再生動作を中断することなく継続状態でオフセット調整を行えるようにすることである。
本発明の目的は、かかる課題点を解決できる技術の提供にある。
【０００５】
【課題を解決するための手段】
上記課題点を解決するために、本発明では、基本的に、光ディスク装置として、装置内の温度変化量の監視と、ディスクから読み出したデータを格納するバッファ内のデータ量の監視とを行い、監視の結果、上記温度変化量と上記バッファ内のデータ格納量とがそれぞれ、予め設定されたレベルを超えるとき、該バッファ内の格納データに基づく再生動作に切替え、該切替えた再生動作中に上記オフセット調整信号に基づくオフセット調整を行う構成とする。
【０００６】
具体的には、
（１）光ディスク装置として、ディスクから読み出したデータを格納するバッファ（該当実施例：符号８）と、装置内の温度変化量の監視と上記バッファ内のデータ格納量の監視とを行う監視手段（該当実施例：符号１１）と、サーボエラー信号に基づきデータ読み出しのオフセットを調整するオフセット調整信号を生成するオフセット調整信号生成手段（該当実施例：符号５ａ）とを備え、上記監視の結果、上記温度変化量と上記バッファ内のデータ格納量とがそれぞれ、予め設定されたレベルを超えるとき、該バッファ内の格納データに基づく再生を行うとともに、該再生中に上記オフセット調整信号に基づくオフセット調整を行う構成とする。
（２）光ディスク装置として、光ピックアップを含む装置内の温度を検知する温度検知手段（該当実施例：符号１０）と、ディスクから読み出したデータを格納するバッファ（該当実施例：符号８）と、上記温度検知結果に基づく温度変化量の監視と、上記バッファ内のデータ格納量の監視とを行う監視手段（該当実施例：符号１１）と、上記光ピックアップのサーボエラー信号を検出するエラー検出手段（該当実施例：符号３）と、上記サーボエラー信号に基づき、上記光ピックアップによるデータ読み出しのオフセットを調整するためのオフセット調整信号を生成するオフセット調整信号生成手段（該当実施例：符号５ａ）と、該オフセット調整信号に基づき上記光ピックアップのオフセット調整を行うオフセット駆動部（該当実施例：符号６）とを備え、上記監視の結果、温度変化量及び上記バッファ内のデータ格納量がそれぞれ、所定レベルを超えるとき、再生動作を該バッファ内の格納データに基づく再生動作に切替え、該切替えた再生動作時間内に上記オフセット調整信号に基づく上記光ピックアップのオフセット調整を行う構成とする。
（３）上記（１）または（２）において、上記監視手段として、上記バッファ内に格納されたデータ量が、オフセット調整に要する時間分のデータ量を超えているか否かを監視する構成とする。
（４）上記（１）または（２）において、上記監視手段として、トラッキングオフセット調整後の温度を初期温度として記憶し、該初期温度からの温度変化量を監視する構成とする。
（５）光ディスク装置におけるデータ再生方法として、ディスクから読み出したデータをバッファに格納するステップと、サーボエラー信号を検出するとともに、装置内温度の変化量の監視と上記バッファ内のデータ格納量の監視とを行うステップと、上記検出したサーボエラー信号に基づき、データ読み出しのオフセットを調整するオフセット調整信号を生成するステップと、上記監視の結果、温度変化量と上記バッファ内のデータ格納量とがそれぞれ、予め設定されたレベルを超えるとき、再生動作を上記バッファ内の格納データに基づく再生動作に切替えるとともに、上記オフセット調整信号に基づくオフセット調整を行うステップと、オフセット調整後、再びディスクからデータを読み出し、該読み出しデータによる再生を行うとともに該データをバッファに格納するステップとを備えたものとする。
【０００７】
【発明の実施の形態】
以下、本発明の実施例につき、図面を用いて説明する。
図１及び図２は本発明の一実施例の説明図である。図１は光ディスク装置の要部構成図、図２は動作説明図である。
図１において、１は記録媒体としてのディスク、２はディスク１の記録面から光学的にデータの読み出しを行う光ピックアップ、３は、光ピックアップ２で読み出したデータからサーボエラーを検出しサーボエラー信号を形成するエラー検出手段としてのサーボエラー検出回路、４は同じく光ピックアップ２で読み出したデータからＲＦ信号を生成するＲＦ信号生成回路、５は、サーボエラー信号とＲＦ信号とが入力され、これらに基づくデジタル処理を行うデジタル信号プロセッサ（Ｄｅｇｉｔａｌ  Ｓｉｇｎａｌ  ｐｒｏｃｅｓｓｏｒ）、５ａは、デジタル信号プロセッサ５内において光ピックアップ２のオフセットの調整を行うためのオフセット調整信号を生成するオフセット調整信号生成手段としてのオフセット調整信号生成回路、５ｂは、同じくデジタル信号プロセッサ５内において、再生信号の復調を行う復調回路、６はオフセット調整信号に基づきオフセット駆動信号を形成するオフセット駆動部としてのオフセット駆動回路、７は、上記オフセット駆動信号により光ピックアップ２のオフセット調整を行うアクチュエータコイル、８は、上記復調回路５ｂで復調したデータを格納するバッファ、１０は、光ディスク装置内の温度特に光ピックアップ２の温度を検知する温度検知手段としての温度センサ、１１は、温度センサ１０により検知した温度変化量の監視と、バッファ８内に格納したデータ量の監視とを行う監視手段としてのモニタ回路、１１ａは、モニタ回路１１内において、上記温度変化量を監視する温度モニタ回路、１１ｂは、同じくモニタ回路１１内において、上記バッファ８内の格納データ量を監視するバッファ状態モニタ回路である。モニタ回路１１はマイコン等により構成されるものとする。温度モニタ回路１１ａでは、トラッキングオフセット調整後の温度を初期温度として記憶し、該記憶した初期温度からの温度変化量を時間経過で監視し、該温度変化量が予め設定したレベルを超えたときに対応する信号を出力する。該予め設定されるレベルとは、適切な再生ができないオフセットを発生させる温度変化量レベルである。また、バッファ状態モニタ回路１１ｂでは、バッファ内に格納されたデータ量が、オフセット調整に要する時間分のデータ量であって予め設定したデータ量に達しているか否かを監視し、該予め設定したデータ量を超えたときに対応する信号を出力する。モニタ回路１１としては、上記温度モニタ回路１１ａから上記対応する信号が出力され、かつ、上記バッファ状態モニタ回路１１ｂから上記対応する信号が出力されたとき、つまり、監視の結果、温度変化量及び上記バッファ内のデータ格納量がそれぞれ、所定レベルを超えるときに、上記オフセット調整信号生成回路５ａに対し制御信号を出力する。
【０００８】
かかる構成において、光ピックアップ２は、所定速度で回転するディスク１から記録されたデータを読み出し、サーボエラー検出回路３で、サーボエラーを検出してサーボエラー信号を形成し、オフセット調整信号生成回路５ａでオフセット調整信号を生成して出力する。該オフセット調整信号はオフセット駆動回路６に入力される。該オフセット駆動回路６では該オフセット調整信号に基づきオフセット駆動信号を形成し、これをアクチュエータコイル７に入力して、光ピックアップをオフセット調整する。ＲＦ信号生成回路４では、光ピックアップ２から出力される読み出しデータからＲＦ信号を生成する。ＲＦ信号は復調回路５ｂに入力されて復調される。該復調されたデータはバッファ８に格納される。該バッファ８におけるデータ格納量は、モニタ回路１１内のバッファ状態モニタ回路１１ｂにより監視する。温度センサ１０では光ピックアップ２の温度を検知し、検知結果を電気信号として出力する。モニタ回路１１内の温度モニタ回路１１ａは、該温度センサ１０からの温度検知信号に基づき、トラッキングオフセット調整後の温度を初期温度として記憶し、該記憶した初期温度からの温度変化量を監視する。
【０００９】
長時間の再生などにおいて、再生動作中に周囲温度の変化等により装置温度が変化し、温度センサ１０で検知した温度による温度変化量が温度モニタ回路１１ａで予め設定したレベルを超えたときには該温度モニタ回路１１ａはこれに対応した信号を出力する。このとき、バッファ状態モニタ回路１１ｂでは、バッファ８内のデータ格納量が、予め設定したデータ量に達しているか否かを判別し、該判別の結果、データ格納量が該予め設定したデータ量を超えるときに対応する信号を出力する。該判別の結果、データ格納量が該予め設定したデータ量を超えないときは対応する信号を出力せず、超えるまで待つ。
【００１０】
上記のように、上記温度モニタ回路１１ａから、所定レベルを超える光ピックアップ２の温度変化量に対応する信号が出力され、かつ、上記バッファ状態モニタ回路１１ｂから、所定レベルを超えるバッファ８でのデータ格納量に対応する信号が出力されると、モニタ回路１１は、上記オフセット調整信号生成回路５ａに対しオフセット調整を指示する制御信号を出力するとともに、再生動作を、上記ディスク１からの読み出しデータによる再生から、上記バッファ８に格納されたデータによる再生に切替える。該格納データによる再生動作中に、オフセット調整信号生成回路５ａでは、モニタ回路１１からの制御信号に基づきオフセット調整信号を生成し、オフセット駆動回路６では、該オフセット調整信号に基づきオフセット駆動信号を形成し、アクチュエータコイル７は該駆動信号により駆動され、光ピックアップをオフセット調整する。
【００１１】
モニタ回路１１は、上記オフセット調整が終ると再び、上記ディスク１からの読み出しデータによる再生動作に切替える。上記バッファ状態モニタ回路１１ｂでの判別の結果、バッファ８内のデータ格納量が該予め設定したデータ量を超えないときは、バッファ内に格納されたデータ量が、オフセット調整に要する時間分のデータ量に満たないとされ、該バッファ状態モニタ回路１１ｂからはそれに対応した信号が出力されない。このため、上記モニタ回路１１からは上記オフセット調整信号生成回路５ａに対し制御信号は出力されず、オフセット調整は行われない。
【００１２】
図２は、図１の光ディスク装置の動作説明図である。
図２において、
（１）ディスク１を光ディスク装置内に装填して回転させ、イニシャル調整を開始する（ステップＳ２１）。
（２）イニシャル調整として、光ピックアップの現在温度でのフォーカス系及びトラッキング系のオフセット調整を行う（ステップＳ２２）。
（３）温度モニタ回路１１ａで、温度センサ１０からの温度検知結果信号を取得し、上記オフセット調整後の温度を初期温度Ｔ０として取得して記憶する（ステップＳ２３）。
（４）ディスク１からのデータの読み出しと再生、及び読み出したデータのバッファ８への格納を行う。このとき併せて、上記温度モニタ回路１１ａでは上記記憶した初期温度Ｔ０からの温度変化量ΔＴを時間経過で監視するとともに、バッファ状態モニタ回路１１ｂでは上記バッファ８内のデータ格納量を監視する（ステップＳ２４）。
（５）上記温度モニタ回路１１ａでの監視の結果、上記温度変化量ΔＴが予め設定された値を超え（ステップＳ２５）、かつ、上記バッファ状態モニタ回路１１ｂでの監視の結果、上記バッファ８内のデータ格納量ΔＸが予め設定された値を超えた（ステップＳ２６）場合は、モニタ回路１１からオフセット調整信号生成回路５ａに対し制御信号を出力する。
（６）上記モニタ回路１１からの指令を受けて、上記オフセット調整信号生成回路５ａ、オフセット駆動回路６及びアクチュエータコイル７が作動し、光ピックアップ２に対しオフセットの再調整を行う（ステップＳ２７）。モニタ回路１１は、オフセット調整信号生成回路５ａに対し上記指令の制御信号を出力するとき併せて、再生動作を、上記ディスク１からの読み出しデータによる再生動作から、上記バッファ８に格納されたデータによる再生動作に切替える。該格納データによる再生動作期間中に、上記オフセットの再調整が行われる。
（７）モニタ回路１１は、上記オフセット調整（オフセットの再調整）が終了すると再び、上記ディスク１からの読み出しデータによる再生動作に切替える。光ピックアップはディスク１からのデータの読み出しを行い、バッファ８は再びデータの格納を開始し、モニタ回路１１は光ピックアップ２の温度変化量の監視とバッファ８におけるデータ格納量の監視を行う（ステップＳ２７）。
【００１３】
上記実施例によれば、光ディスク装置において、再生動作中に温度変化によるオフセットが光ピックアップに生じた場合にも、再生動作を継続した状態でオフセット調整を行える。このため常時、適切な再生を行うことができる。
【００１４】
なお、上記実施例は、オフセット駆動回路６で形成したオフセット駆動信号によりアクチュエータコイルを駆動してオフセット調整を行う構成としたが、本発明はこれに限定されず、他の手段を駆動してオフセット調整を行うようにしてもよい。
【００１５】
さらに、本発明の他の実施例として、ホストコンピュータ側などからアクセス処理指令が入ったときやディスクからデータの読み出しができないときに、パラメータを変更したリトライ処理をしてオフセット調整を行ったり、ある回数のリトライ処理をした後オフセット調整を行うようにしたりする構成もある。この場合も基本的には、上記図１の構成を備え、図２の動作を行う。
【００１６】
【発明の効果】
本発明によれば、再生動作中に温度変化によるオフセットが生じた場合にも、再生継続状態でのオフセット調整が可能となり、適切な状態での長時間の再生動作も可能となる。
【図面の簡単な説明】
【図１】本発明の実施例構成を示す図である。
【図２】図１の構成の動作説明図である。
【符号の説明】
１…ディスク、  ２…光ピックアップ、  ３…サーボエラー検出回路、  ４…ＲＦ信号生成回路、  ５…デジタル信号プロセッサ、  ５ａ…オフセット調整信号生成回路、  ５ｂ…復調回路、  ６…オフセット駆動回路、  ７…アクチュエータコイル、  ８…バッファ、  １０…温度センサ、  １１…モニタ回路、  １１ａ…温度モニタ回路、  １１ｂ…バッファ状態モニタ回路。
【図１】
2004241069.tif 000003
【図２】
2004241069.tif 000004